(57)【要約】【課題】  光ディスの種類にかかわらず、過去に再生したことのある光ディスクを正確に判別することができ、判別した光ディスクに対応した初期設定で光ディスクに記録されたオーディオデータの再生を直ちに開始することができる光ディスク再生装置を提供する。【解決手段】  載置手段に載置された光ディスクのオーディオ信号が記録された信号記録面の内周部に表示された文字情報を読み取る読取手段が読み取った文字情報が記憶手段に記憶されていると、文字情報と共に記憶されている目次情報及び初期設定情報に応じて、光ディスクに記録されたオーディオ信号を再生するように再生手段を制御する。【選択図】  図３
2006099894.tif 000002
【特許請求の範囲】
【請求項１】
光ディスクに記録されたオーディオデータ及びオーディオデータの目次情報を再生する再生手段を備えた光ディスク再生装置において、
オーディオデータ及びオーディオデータの目次情報が記録された光ディスクを載置する載置手段と、
前記載置手段に載置された光ディスクのオーディオデータ及び目次情報が記録された記録面の内周部に表示された文字情報を読み取る読取手段と、
前記再生手段が光ディスクに記録されたオーディオデータを再生するための初期設定情報を入力する入力手段と、
前記再生手段により光ディスクから再生された目次情報と前記読取手段により当該光ディスクの記録面から読み取られた文字情報と前記入力手段により入力された初期設定情報とを関連付けて記憶する記憶手段と、
前記読取手段が読み取った文字情報が前記記憶手段に記憶されている文字情報のとき、当該文字情報と関連付けられて記憶されている目次情報及び初期設定情報に基づいて、光ディスクに記録されたオーディオデータを再生するように前記再生手段を制御する制御手段とを備えることを特徴とする光ディスク再生装置。
【発明の詳細な説明】
【技術分野】
【０００１】
本発明は、光ディスクに記録されたオーディオデータ及びオーディオデータの目次情報を再生する光ディスク再生装置に関する。
【背景技術】
【０００２】
従来、オーディオデータを圧縮する圧縮技術として、MP3（Moving Picture Experts Group-2 Audio Layer-3）がある。MP3圧縮技術では、非圧縮オーディオデータの音質を殆ど劣化させることなく、データ量を約１０分の１まで圧縮することができる。MP3形式の圧縮オーディオデータは、CD-R（Compact Disc-Recordable）等の光ディスクにファイルとして記録することができる。CD-R等の光ディスクに記録されたMP3形式の圧縮オーディオデータのファイル（以下、MP3ファイルという。）は、MP3ファイルをデコードするMP3デコーダを備えたCDプレーヤにより再生することができる。
【０００３】
MP3ファイルは、非圧縮オーディオデータのデータ量を約１０分の１まで圧縮できるので、CD-Rには、CD-DA（Compact Disc-Digital Audio）に記録された非圧縮オーディオデータのトラック数より多くのMP3ファイルのトラックを記録することができる。ユーザは、BGM等で使用する目的でCD-Rに記録したMP3ファイルを再生する順序を設定する操作をする場合がある。この場合、ユーザは、MP3ファイルの希望する再生順序を入力する操作をした後、MP3ファイルの再生を開始する。従来のCDプレーヤでは、電源の供給が停止すると入力した再生順序の情報が消去されてしまうため、希望する再生順序でMP3ファイルを再生したい場合、再度、再生順序を入力する操作が必要である。
【０００４】
また、特許文献１に開示された光ディスク再生装置は、再生する光ディスクが過去に再生した光ディスクであると判別すると、再生履歴に保存された再生速度で光ディスクの再生を開始する。特許文献１に開示された光ディスク再生装置を用いて、MP3ファイルが記録されたCD-Rを再生するとき、再生履歴に再生順序が保存されていれば、ユーザは、再生順序を入力する操作を行うことなく、MP3ファイルを再生履歴に保存された再生順序で再生することができる。
【０００５】
特許文献１に開示された光ディスク再生装置では、再生する光ディスクが過去に再生した光ディスクであるか否かを判別するために、光ディスクのレーベル面の特定半径位置を光学的に読み取る。光ディスク再生装置は、光ディスクのレーベル面から読み取ったデータをディスク識別データとして、再生履歴に保存されたディスク識別データと照合し、読み取った識別データが再生履歴に保存されたディスク識別データと一致すると、過去に再生した光ディスクであると判別する。
【０００６】
また、特許文献１に開示された光ディスク再生装置では、再生する光ディスクが過去に再生した光ディスクであるか否かを判別する他の実施例として、光ディスクに記録されている国別コード、所有者コードやシリアルナンバー等のディスクコードを読み取り、再生履歴に保存されたディスクコードと照合する。
【０００７】
【特許文献１】特開２００２−293931号公報
【発明の開示】
【発明が解決しようとする課題】
【０００８】
特許文献１に開示された光ディスク再生装置では、光ディスクのレーベル面に印刷された文字や模様を読み取り、過去に再生した光ディスクであるか否かを判別する。しかしながら、通常、CD-Rのレーベル面には、文字や模様が印刷されていなく、単一色のみが印刷されている。あるいは、CD-Rの種類毎に同じ文字や模様がレーベル面に印刷されている。したがって、特許文献１に開示された光ディスク再生装置では、MP3ファイル等のオーディオデータが記録されたCD-Rを再生するとき、過去に再生したCD-Rであるか否かを正確に判別することができない虞がある。
【０００９】
また、特許文献１に開示された光ディスク再生装置において、光ディスクから読み取ったディスクコードを用いて過去に再生した光ディスクであるか否かを判別する場合、光ディスクを所定の回転速度（CDの場合、線速度1.2m/s〜1.4m/s）で回転させた後にディスクコードを読み取るので、光ディスクが過去に再生した光ディスクであるか否かを判別するまでに時間を要する。
【００１０】
以上から、特許文献１に開示された光ディスク再生装置では、再生する光ディスクがCD-Rである場合、CD-Rに記録されたMP3ファイル等のオーディオデータを予め設定した再生順序等で直ちに再生を開始することができない虞がある。
【００１１】
本発明は、上記課題を解決するためになされたものであり、光ディスの種類にかかわらず、過去に再生したことのある光ディスクを正確に判別することができ、判別した光ディスクに対応した初期設定条件に基づいて、光ディスクに記録されたオーディオデータの再生を直ちに開始することができる光ディスク再生装置を提供することを目的とする。
【課題を解決するための手段】
【００１２】
上記の課題を解決するために、本願の請求項１記載の発明は、光ディスクに記録されたオーディオデータ及びオーディオデータの目次情報を再生する再生手段を備えた光ディスク再生装置において、オーディオデータ及びオーディオデータの目次情報が記録された光ディスクを載置する載置手段と、前記載置手段に載置された光ディスクのオーディオデータ及び目次情報が記録された記録面の内周部に表示された文字情報を読み取る読取手段と、前記再生手段が光ディスクに記録されたオーディオデータを再生するための初期設定情報を入力する入力手段と、前記再生手段により光ディスクから再生された目次情報と前記読取手段により当該光ディスクの記録面から読み取られた文字情報と前記入力手段により入力された初期設定情報とを関連付けて記憶する記憶手段と、前記読取手段が読み取った文字情報が前記記憶手段に記憶されている文字情報のとき、当該文字情報と関連付けられて記憶されている目次情報及び初期設定情報に基づいて、光ディスクに記録されたオーディオデータを再生するように前記再生手段を制御する制御手段とを備えることを特徴とする。
【発明の効果】
【００１３】
本発明によれば、光ディスの種類にかかわらず、過去に再生したことのある光ディスクを正確に判別することができ、判別した光ディスクに対応した初期設定初期設定条件に基づいて、光ディスクに記録されたオーディオデータの再生を直ちに開始することができる光ディスク再生装置を提供することができる。
【発明を実施するための最良の形態】
【００１４】
以下、本発明の実施の形態を図面に基づいて説明する。
図１は、本発明の一実施例である光ディスク再生装置の構成を示すブロック図である。本実施例の光ディスク再生装置は、CD-DAの他に、MP3ファイルが記録されたCD-R等が再生可能なCDプレ−ヤである。
【００１５】
図１において、１はスピンドルモータ、２はサーボ制御部、３は光ピックアップ、４は再生アンプ、５はDSP（Digital Signal Processor）、６はオーディオデータ記憶部、７はデジタルアナログ変換器（DAC：Digital to Analog Converter）、８はアンプ、９は出力部、１０は制御部、１１は操作部、１２は表示部、１３は記憶部、１４は読取部を示す。
【００１６】
スピンドルモータ１に固定されたターンテーブルは、CDを載置する。操作部１１から再生開始の指示が入力されると、サーボ制御部２は、スピンドルモータ１を所定の線速度（1.2m/s〜1.4ｍ/ｓ)で回転させる制御をする。また、サーボ制御部２は、光ピックアップ３から出射されたレーザ光をCDのピット列に正しくトレースするために、図示しないフォーカスサーボ回路とトラッキングサーボ回路を制御する。
【００１７】
光ピックアップ３が再生したデジタルオーディオデータは、再生アンプ４により波形整形及び増幅されDSP５に入力される。DSP５は、信号処理部とMP3デコーダを備えている。DSP５に入力されたデジタルオーディオデータがCD-DA等から再生された非圧縮オーディオデータのとき、DSP５は、信号処理部により非圧縮オーディオデータの復調、サブコードデータの復調、フォーカスエラー信号やトラッキングエラー信号等のエラー信号、同期信号の抜き出し等をしてデジタルオーディオデータをオーディオデータ記憶部６に入力する。DSP５に入力されたデジタルオーディオデータがMP3形式の圧縮オーディオデータのとき、DSP５に内蔵するMP3デコーダによりMP3形式の圧縮オーディオデータをデコードしてデコードされたデジタルオーディオデータをオーディオデータ記憶部６に入力する。
【００１８】
オーディオデータ記憶部６は、DSP５から入力されたデジタルオーディオデータを記憶する。オーディオデータ記憶部６に記憶されたデジタルオーディオデータは、DSP５により読み出されDAC７に入力される。DAC７は、デジタルオーディオデータをアナログオーディオ信号に変換しアンプ８に出力する。DAC７から出力されたアナログオーディオ信号は、アンプ８により増幅され出力部９が備える出力端子に接続したスピーカから出力される。
【００１９】
制御部１０に接続された操作部１１は、オーディオデータの再生を開始する再生開始ボタン、再生停止ボタン、早送りボタン、早戻しボタン、再生順序等の初期設定を入力するための入力ボタン等を備えている。制御部１０に接続された表示部１２は、現在再生しているトラックの再生時間（分、秒）の表示、トラックナンバー等の表示を行う。制御部１０に接続された記憶部１３は、読取部１４がターンテープルに載置されたCDの記録面から読み取った文字情報と当該CDから再生されたTOC情報と制御部１０の制御により操作部１１に備えられた入力ボタンにより入力された当該CDの初期設定情報とを関連付けて記憶する。
【００２０】
読取部１４は、小型のCCD（Charge Coupled Device）カメラであり、CDのデジタルオーディオデータが記録された記録面の内周部に表示されたCDの製造番号や認識番号等の文字情報を読み取る。読取部１４は、読み取った文字情報を制御部１０に入力する。図２は、CDの記録面を示した図である。
【００２１】
図２に示すCDは、CDの中心にセンタホールが設けられている。図２に示すように、CDは、内周から外周に向かってミラーエリア２２、リードインエリア２３、プログラムエリア２４、リードアウトエリア２５を備えている。ミラーエリア２２には、デジタルオーディオデータは記録されてなく、CDの製造番号や認識番号等の文字情報２６が表示されている。この文字情報２６は、市販されているCD-DAやCD-R等の光ディスクのミラーエリア２２に表示されている。リードインエリア２３には、目次情報に相当する各トラックの絶対時間情報等のTOC（Table Of Contents）情報が記録されている。プログラムエリア２４には、各トラックのデジタルオーディオデータが記録されている。
【００２２】
図３は、本発明の実施例のCDプレーヤに載置されたCDが過去に再生されたか否かを判別する動作を説明するフローチャートである。
図３に示すステップ１は、ユーザがターンテーブルにCDを載置するステップである。ステップ２は、CDを１乃至３回転させCDの内周部に表示された文字情報を読み取るステップである。制御部１０は、CDがターンテーブルに載置されると、CDを１乃至３回転させる制御をする。そして、制御部１０は、CDが回転している間に、読取部１４がCDの内周部に表示されたCDの製造番号や認識番号等の文字情報２９を読み取る制御をする。読取部１４が読み取った文字情報は、制御部１０に入力される。
【００２３】
ステップ３は、読み取った文字情報が記憶部１３に記憶されている文字情報と一致するか否かを判別するステップである。制御部１０は、ステップ２において読み取った文字情報が記憶部１３に記憶されている過去に読み取った文字情報と一致するか否かを判別する。記憶部１３に記憶されている文字情報と一致する場合はステップ４に進む。記憶部１３に記憶されている文字情報と一致しない場合はステップ５に進む。
【００２４】
ステップ４は、ステップ２において読み取った文字情報と関連付けられて記憶部１３に記憶されているTOC情報及び初期設定情報を制御部１０が読み出す制御をするステップである。
【００２５】
ステップ５は、CDのリードインエリアに記録されたTOC情報を再生するステップである。制御部１０は、ターンテーブルに載置されたCDを線速度1.2m/s〜1.4ｍ/ｓで回転させる制御をし、リードインエリアに記録されたTOC情報を再生する制御をする。再生されたTOC情報は、制御部１０の制御によりステップ２において読み取られた文字情報と関連付けて記憶部１３に記憶される。
【００２６】
ステップ６は、ユーザが操作部１１の入力ボタンを用いて、再生するCDの再生順序等の初期設定の情報を入力するステップである。制御部１０は、入力ボタンにより入力された初期設定情報をステップ２において読み取られた文字情報と関連付けて記憶部１３に記憶する制御をする。
【００２７】
ステップ７は、TOC情報及び初期設定情報に基づいてCDに記録されたデジタルオーディオデータの再生を開始するステップである。制御部１０は、記憶部１３から読み出したTOC情報及び初期設定情報に基づいてCDに記録されたデジタルオーディオデータの再生を開始する制御をする。
【００２８】
CD-Rの製造メーカによっては、CD-Rの内周部に表示された製造番号や認識番号等の文字情報が同じである場合がある。このため、図３に示すフローチャートのステップ７において、記憶部１３から読み出されたTOC情報及び初期設定情報に基づいて、CD-Rに記録されたデジタルオーディオデータを再生することとができない場合、ステップ７からステップ５に進むようにしても良い。
【００２９】
または、CD-Rのプログラムエリアにおいて、デジタルオーディオデータ等のデータが記録された領域と記録されていない領域とでは反射率が異なるため、読取部１４によりどの領域までデータが記録されたかを判別することができる。このことから、図３に示すフローチャートのステップ２において、CD-Rの内周部に表示された文字情報を読み取るとともに、CD-Rのプログラムエリアの記録状態も画像データとして読み取り、ステップ３において、読み取った文字情報及びプログラムエリアの記録状態の画像データが記憶部１３に記憶されている過去に読み取った文字情報及びプログラムエリアの記録状態の画像データと一致するか否かを判別するようしても良い。
【００３０】
上述した本実施例のCDプレーヤは、ターンテーブルに載置されたCDを１乃至３回転している間に、読取部１４がCDの内周部に表示されたCDの製造番号や認識番号等の文字情報を読み取り、過去に再生したことがあるCDであるか否かを判別する。この文字情報２６は、市販されているCD-DAやCD-R等の光ディスクのミラーエリア２２に表示されているため、本実施例のCDプレーヤは、CD-DAやCD-R等の光ディスクの種類にかかわらず、過去に再生したCDであることを判別することができるので、CDのリードインエリアに記録されているTOC情報を再生する動作をせずに、判別したCDに関連付けられて記憶部１３に記憶されているTOC情報及び初期設定条件に基づいて、CDに記録されたデジタルオーディオデータの再生を直ちに開始することができる。
【図面の簡単な説明】
【００３１】
【図１】本発明の実施例であるCDプレーヤの構成を示すブロック図。
【図２】CDの記録面を示した図。
【図３】本発明の実施例のCDプレーヤに載置されたCDを判別する動作を説明するフローチャート。
【符号の説明】
【００３２】
１…スピンドルモータ、２…サーボ制御部、３…光ピックアップ、４…再生アンプ、５…DSP、６…オーディオデータ記憶部、７…DAC、８…アンプ、９…出力部、１０…制御部、１１…操作部、１２…表示部、１３…記憶部、１４…読取部、２１…センターホール、２２…ミラーエリア、２３…リードインエリア、２４…プログラムエリア、２５…リードアウトエリア、２６…文字情報
【図１】
2006099894.tif 000003
【図２】
2006099894.tif 000004
【図３】
2006099894.tif 000005